(57)【要約】【課題】釣り場に関わらず用いることができ、取り付け及び持ち運びが容易な釣竿立てを提供すること。【解決手段】本発明は、位置決め溝１２、軸受け溝２２及び収納溝１１が設けられた矩形状の基板１０と、側面視三角形状に起立した一対の左側棒立て２１Ａ及び右側棒立て２１Ｂ、並びに、左側棒立て２１Ａ及び右側棒立て２１Ｂに架設された第１リミット立て２５及び第２リミット立て２８、からなり、一端が位置決め溝１２に挿入され、他端が軸受け溝２２により回動可能となるように基板１０に取り付けられた竿立て２０と、基板１０の一辺に、蝶番１３を介して取り付けられた位置決め立て１４と、を備え、竿立て２０の一端を位置決め溝１２から取り出し、且つ竿立て２０を折り畳むことにより、竿立て２０が収納溝１１に収容可能となっている釣竿立て１００である。【選択図】図１
2010200744.tif 000002
【特許請求の範囲】
【請求項１】
位置決め溝、軸受け溝及び収納溝が設けられた矩形状の基板と、
側面視三角形状に起立した一対の左側棒立て及び右側棒立て、並びに、前記左側棒立て及び前記右側棒立てに架設された第１リミット立て及び第２リミット立て、からなり、一端が前記位置決め溝に挿入され、他端が前記軸受け溝により回動可能となるように前記基板に取り付けられた竿立てと、
前記基板の一辺に、蝶番を介して取り付けられた位置決め立てと、
を備え、
前記竿立ての一端を前記位置決め溝から取り出し、且つ前記竿立てを折り畳むことにより、前記竿立てが前記収納溝に収容可能となっている釣竿立て。
【請求項２】
前記第１リミット立て及び前記第２リミット立てが、前記左側棒立て及び前記右側棒立てに対して回動可能となっている請求項１記載の釣竿立て。
【請求項３】
前記第１リミット立て及び前記第２リミット立てが、それぞれ半円形状になっている請求項１記載の釣竿立て。
【請求項４】
前記第１リミット立てが前記第２リミット立てより上方に取り付けられており、前記第１リミット立てが下向きの半円形状となっており、前記第２リミット立てが上向きの半円形状となっている請求項１記載の釣竿立て。
【請求項５】
前記位置決め立てが、前記蝶番で折り畳み可能となっている請求項１記載の釣竿立て。
【請求項６】
前記位置決め立ての上には携帯式クーラーボックスが載置されるようになっており、
前記位置決め立ての長さが少なくとも前記携帯式クーラーボックスの幅以上である請求項１記載の釣竿立て。
【請求項７】
前記位置決め立ての先端には、引掛け部が設けられている請求項１記載の釣竿立て。
【請求項８】
携帯式クーラーボックスが、前記位置決め立てを兼ねており、
前記蝶番を介して、前記基板及び前記竿立てが、携帯式クーラーボックスの側面に収容可能となっている請求項１記載の釣竿立て。
【請求項９】
前記基板と前記携帯式クーラーボックスには、拘束部材が架設されている請求項８記載の釣竿立て。
【発明の詳細な説明】
【技術分野】
【０００１】
本発明は、釣竿立てに関する。
【背景技術】
【０００２】
釣りの際、釣り竿を長時間持つことによる不便性を避けるために、釣り人は釣れるまでの間、釣竿立てを利用することが多い。
かかる釣竿立ては、釣り竿を支え、固定するものが一般的である。
【０００３】
近年、釣竿立ては、種類が繁多であり、渓釣り、池釣り、灘釣り、磯釣り、防波堤釣り、セメント護岸釣り等の用途に応じた様々な構造のものがある。
このため、これらの釣竿立ては、それぞれに特徴があり、お互いに代替しにくい。すなわち、渓釣り、池釣り等で使用する釣竿立ては、直接、地面に挿して、釣り竿を固定するものであり、防波堤釣り、コクリート護岸釣り等で使用する釣竿立ては、コンクリート上に鍵状のフックを掛けて固定をするものであり、垂れ釣り等で使用する釣竿立ては、コンクリート上にかけたフックにネジ鍵をかけて固定するものである。
したがって、釣り人は、異なる釣り場に行く度に、釣竿立てを購入しなければならないという問題がある。
【０００４】
これに対し、クーラーボックスに取り付けるタイプの釣竿立てが公開されている（例えば、特許文献１〜３参照）。
一般に、釣りの際にはクーラーボックスを所持する場合が多いため、クーラーボックスに釣竿立てを取り付けられるようにすれば、釣り場によって釣竿立てを換えなければならないという問題は解消する。
【先行技術文献】
【特許文献】
【０００５】
【特許文献１】特開平８−２８０３１０号公報
【特許文献２】特開平１０−２６２５３２号公報
【特許文献３】特開２００４−２１５６００号公報
【発明の概要】
【発明が解決しようとする課題】
【０００６】
しかしながら、上記特許文献１〜３に記載の釣竿立ては、クーラーボックスに取り付けるのが煩雑であり、折り畳みができず持ち運びが困難であるという欠点がある。
【０００７】
本発明は、上記事情に鑑みてなされたものであり、釣り場に関わらず用いることができ、取り付け及び持ち運びが容易な釣竿立てを提供することを目的とする。
【課題を解決するための手段】
【０００８】
本発明者等は、上記課題を解決するため鋭意検討したところ、簡単に持ち運びできるように、容易な折り畳み構造とすることにより、上記課題を解決できることを見出し、本発明を完成させるに至った。
【０００９】
すなわち、本発明は、（１）位置決め溝、軸受け溝及び収納溝が設けられた矩形状の基板と、側面視三角形状に起立した一対の左側棒立て及び右側棒立て、並びに、左側棒立て及び右側棒立てに架設された第１リミット立て及び第２リミット立て、からなり、一端が位置決め溝に挿入され、他端が軸受け溝により回動可能となるように基板に取り付けられた竿立てと、基板の一辺に、蝶番を介して取り付けられた位置決め立てと、を備え、竿立ての一端を位置決め溝から取り出し、且つ竿立てを折り畳むことにより、竿立てが収納溝に収容可能となっている釣竿立てに存する。
【００１０】
本発明は、（２）第１リミット立て及び第２リミット立てが、左側棒立て及び右側棒立てに対して回動可能となっている上記（１）記載の釣竿立てに存する。
【００１１】
本発明は、（３）第１リミット立て及び第２リミット立てが、それぞれ半円形状になっている上記（１）記載の釣竿立てに存する。
【００１２】
本発明は、（４）第１リミット立てが第２リミット立てより上方に取り付けられており、第１リミット立てが下向きの半円形状となっており、第２リミット立てが上向きの半円形状となっている上記（１）記載の釣竿立てに存する。
【００１３】
本発明は、（５）位置決め立てが、蝶番で折り畳み可能となっている上記（１）記載の釣竿立てに存する。
【００１４】
本発明は、（６）位置決め立ての上には携帯式クーラーボックスが載置されるようになっており、位置決め立ての長さが少なくとも携帯式クーラーボックスの幅以上である上記（１）記載の釣竿立てに存する。
【００１５】
本発明は、（７）位置決め立ての先端には、引掛け部が設けられている上記（１）記載の釣竿立てに存する。
【００１６】
本発明は、（８）携帯式クーラーボックスが、位置決め立てを兼ねており、蝶番を介して、基板及び竿立てが、携帯式クーラーボックスの側面に収容可能となっている上記（１）記載の釣竿立てに存する。
【００１７】
本発明は、（９）基板と携帯式クーラーボックスには、拘束部材が架設されている上記（８）記載の釣竿立てに存する。
【００１８】
なお、本発明の目的に添ったものであれば、上記（１）〜（９）を適宜組み合わせた構成も採用可能である。
【発明の効果】
【００１９】
本発明の釣竿立てにおいては、上述した構造を有する竿立てを備えるので、釣竿を立てた場合、釣竿の安定性に優れる。
また、上記釣竿立ては、竿立てを折り畳むことにより、竿立てが基板に設けられた収納溝に収容可能となっているので、持ち運びが容易であり、且つ、組み立ても容易である。なお、位置決め立ては、蝶番で折り畳み可能となっていることが好ましい。
さらに、上記釣竿立ては、基板の一辺に蝶番を介して位置決め立てが取り付けられているので、かかる位置決め立てに携帯式クーラーボックス等を載置することにより、釣竿立てを固定することができる。このため、釣り場に関わらず用いることができる。なお、位置決め立ての長さは、少なくとも携帯式クーラーボックスの幅以上であることが好ましい。
【００２０】
上記釣竿立ては、第１リミット立て及び第２リミット立てが、左側棒立て及び右側棒立てに対して回動可能となっている場合、太さが異なる釣竿に対しても、第１リミット立て及び第２リミット立てを回動させることにより、確実に固定することができる。
【００２１】
上記釣竿立ては、第１リミット立て及び第２リミット立てが、それぞれ半円形状になっている場合、釣竿を釣竿立てに装着しやすく、第１リミット立てが第２リミット立てより上方に取り付けられていると、釣竿をバランスよく固定できる。
【００２２】
上記釣竿立ては、位置決め立ての先端に、引掛け部が設けられている場合、位置決め立てに載置された携帯式クーラーボックス等を引掛け部に引っ掛けることにより、確実に固定される。
【００２３】
上記釣竿立ては、携帯式クーラーボックスが、位置決め立てを兼ねており、蝶番を介して、基板及び竿立てが、携帯式クーラーボックスの側面に収容可能となっていると、釣竿立てと携帯式クーラーボックスとが一体となっているので、持ち運びが容易である。
【００２４】
上記釣竿立ては、基板と携帯式クーラーボックスには、拘束部材が架設されていると、基板と携帯式クーラーボックスとの接続が補強されるので、破損が抑制される。
【図面の簡単な説明】
【００２５】
【図１】図１は、本発明に係る釣竿立ての第１実施形態を示す斜視図である。
【図２】図２は、第１実施形態に係る釣竿立てに釣竿を取り付け、携帯式クーラーボックスを載置した状態を示す側面図である。
【図３】図３は、第１実施形態に係る釣竿立てを折り畳んだ状態を示す斜視図である。
【図４】図４は、本発明に係る釣竿立ての第２実施形態を示す斜視図である。
【図５】図５は、本発明に係る釣竿立ての第３実施形態を示す斜視図である。
【図６】図６は、第３実施形態に係る釣竿立てに釣竿を取り付けた状態を示す側面図である。
【図７】図７は、第３実施形態に係る釣竿立てを折り畳んだ状態を示す斜視図である。
【発明を実施するための形態】
【００２６】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２７】
［第１実施形態］
図１は、本発明に係る釣竿立ての第１実施形態を示す斜視図である。
図１に示すように、本実施形態に係る釣竿立て１００は、矩形状の基板１０と、基板１０に取り付けられた竿立て２０と、基板１０の一辺に、蝶番１３を介して取り付けられた位置決め立て１４と、を備える。
【００２８】
基板１０は、矩形状となっており、前部に２箇所の位置決め溝１２、後部に２箇所の軸受け溝２２、及び、前部と後部との間に収納溝１１が設けられている。
位置決め溝１２は、後述する竿立て２０の一端を挿入し固定するための溝であり、軸受け溝２２は、後述する竿立て２０の他端を取り付けるための溝である。
また、収納溝１１は、竿立て２０を収納するための溝である。すなわち、収納溝１１は、竿立て２０を折り畳んだ形状と同じになるような形状の溝が設けられている。
【００２９】
竿立て２０は、回動可能となるように屈折した一対の左側棒立て２１Ａ及び右側棒立て２１Ｂと、左側棒立て２１Ａ及び右側棒立て２１Ｂを架設された第１リミット立て２５及び第２リミット立て２８と、からなる。
【００３０】
左側棒立て２１Ａは、棒２１Ａ１及び棒２１Ａ２からなり、それらが頂点部２４Ａで回動可能となるように枢着され、側面視三角形状に起立した構造となっている。一方、右側棒立て２１Ｂも同様に、棒２１Ｂ１及び棒２１Ｂ２からなり、それらが頂点部２４Ｂで回動可能となるように枢着され、側面視三角形状に起立した構造となっている。すなわち、左側棒立て２１Ａと右側棒立て２１Ｂとは、同じ形状となっている。
【００３１】
上記釣竿立て１００において、左側棒立て２１Ａの頂点部２４Ａと右側棒立て２１Ｂの頂点部２４Ｂには、回動可能となるように第１リミット立て２５が架設されており、左側棒立て２１Ａの後部側の中腹部２７Ａと右側棒立て２１Ｂの後部側の中腹部２７Ｂには、回動可能となるように第２リミット立て２８が架設されている。
【００３２】
このように、第１リミット立て２５は、第２リミット立て２８より上方に取り付けられている。そして、釣竿を立てる場合、第１リミット立て２５を下向きの半円形状とし、第２リミット立て２８を上向きの半円形状とする。
【００３３】
上記釣竿立て１００は、第１リミット立て２５及び第２リミット立て２８が、左側棒立て２１Ａ及び右側棒立て２１Ｂに対して回動可能となっているので、太さが異なる釣竿に対しても、第１リミット立て２５及び第２リミット立て２８を回動角度を変えることにより、確実に固定することができる。
また、第１リミット立て２５及び第２リミット立て２８が、それぞれ半円形状になっており、第１リミット立て２５が第２リミット立て２８より上方に取り付けられているので、釣竿を釣竿立て１００に装着しやすく、バランスよく固定できる。
【００３４】
竿立て２０は、左側棒立て２１Ａ及び右側棒立て２１Ｂの一端を基板１０に設けられた位置決め溝１２に挿入することにより、固定される。
また、竿立て２０の他端は、Ｌ字状となっており、軸受け溝２２に挿入すると共に、軸受け溝２２の上方から固定マグネット２３で留めることにより、回動可能な状態で取り付けられている。
【００３５】
上記釣竿立て１００において、基板１０の後部側の一辺には、折り畳み可能な蝶番１３が取り付けられており、蝶番１３を介して短冊状の位置決め立て１４が取り付けられている。このため、蝶番１３を折り畳むことにより、位置決め立て１４が折り畳まれるようになっている。
【００３６】
位置決め立て１４は、携帯式クーラーボックスが載置可能となっている。
図２は、第１実施形態に係る釣竿立てに釣竿を取り付け、携帯式クーラーボックスを載置した状態を示す側面図である。
図２に示すように、本実施形態に係る釣竿立て１００は、竿立て２０の第１リミット立て２５と第２リミット立て２８に釣竿４０が取り付けられ、位置決め立て１４に携帯式クーラーボックス３０が載置されている。すなわち、釣竿４０は、釣竿立て１００により固定され、釣竿立て１００は、一定の重量を有する携帯式クーラーボックス３０により固定される。
これにより、上記釣竿立て１００は、釣竿４０の安定性に優れるものとなる。
【００３７】
このとき、位置決め立て１４の長さは、少なくとも携帯式クーラーボックス３０の幅以上であることが好ましく、携帯式クーラーボックス３０の幅と同じサイズであることがより好ましい。この場合、釣竿立て１００をより確実に固定できる。
【００３８】
上記釣竿立て１００において、位置決め立て１４には、後端にＬ字状に屈折した引掛け部１５が設けられている。したがって、位置決め立て１４に携帯式クーラーボックス３０を載置する場合、携帯式クーラーボックス３０を引掛け部１５に引っ掛けることにより、滑りがなく、より一層確実に固定できる。
【００３９】
上記釣竿立て１００は、竿立て２０を折り畳むことにより、竿立て２０が基板１０に設けられた収納溝１１に収容可能となっている。
図３は、第１実施形態に係る釣竿立てを折り畳んだ状態を示す斜視図である。
図３に示すように、釣竿立て１００において、竿立て２０は、左側棒立て２１Ａ及び右側棒立て２１Ｂの他端を回動させると共に、一端を位置決め溝１２から取り出し、頂点部２４Ａ，２４Ｂを中心に折り畳む。このとき、第１リミット立て２５及び第２リミット立て２８も左側棒立て２１Ａ及び右側棒立て２１Ｂと面一となるように回動させる。そして、基板１０に設けられた収納溝１１に、竿立て２０の全体を収納する。
【００４０】
また、基板１０に取り付けられた位置決め立て１４も蝶番１３を中心に折り畳む。なお、基板１０には、折り畳んだ場合に位置決め立て１４の引掛け部１５が基板１０に嵌まり込むように切り欠き１７（図１参照）が設けられている。
【００４１】
このように、上記釣竿立て１００は、折り畳むことにより、竿立て２０が収納溝１１に収容可能となっているので、持ち運びが容易であり、且つ、組み立ても容易である。
【００４２】
［第２実施形態］
図４は、本発明に係る釣竿立ての第２実施形態を示す斜視図である。
図４に示すように、本実施形態に係る釣竿立て２００は、矩形状の基板１０と、基板１０に取り付けられた竿立て２０と、基板１０の一辺に、蝶番１３を介して取り付けられた広幅矩形状の位置決め板１６と、を備える。すなわち、本実施形態に係る釣竿立て２００は、短冊状の位置決め立ての代わりに、広幅矩形状の位置決め板１６が取り付けられていること以外は、第１実施形態に係る釣竿立て１００と同じである。
【００４３】
上記釣竿立て２００によれば、位置決め板１６が、第１実施形態に係る釣竿立て１００の位置決め立てよりも大きいので、携帯用クーラーボックス等を載置することにより、釣竿立て２００をより確実に固定できる。
また、上記釣竿立て２００は、上述した第１実施形態に係る釣竿立て１００と同様に折り畳んで収容できる。このとき、位置決め板１６が基板１０の表面を完全に覆うことになるので、持ち運びの際に誤って竿立て２０か飛び出るといった事態を避けることができる。
【００４４】
[第３実施形態]
図５は、本発明に係る釣竿立ての第３実施形態を示す斜視図である。
図５に示すように、本実施形態に係る釣竿立て３００は、矩形状の基板１０と、基板１０に取り付けられた２つの竿立て２０と、基板１０の一辺に、蝶番１３を介して取り付けられた携帯式クーラーボックス３０と、基板１０及び携帯式クーラーボックス３０に架設された拘束部材２９と、を備える。すなわち、本実施形態に係る釣竿立て３００は、基板１０に２つの竿立て２０が並設されていると共に、それに対応する２つの収容溝１１が設けられており、携帯式クーラーボックス３０が、第１実施形態に係る釣竿立て１００の位置決め立てを兼ねており、基板１０と携帯式クーラーボックス３０に、拘束部材２９が架設されていること以外は第１実施形態に係る釣竿立て１００と同様である。
【００４５】
上記釣竿立て３００は、基板１０に２つの竿立て２０が並設されている。このため、２つの釣り竿を同時に取り付けることができる。
図６は、第３実施形態に係る釣竿立てに釣竿を取り付けた状態を示す側面図である。
図６に示すように、釣竿立て３００においては、各竿立て２０が第１リミット立て２５及び第２リミット立て２８を備え、そこに釣竿４０を取り付けるようになっているので、例えば、太さが異なる釣竿４０であっても並べて取り付けることができる。
【００４６】
上記釣竿立て３００は、基板１０と携帯式クーラーボックス３０には、拘束部材２９が架設されている。このため、基板１０と携帯式クーラーボックス３０との接続が補強されるので、破損が抑制される。
【００４７】
上記釣竿立て３００は、携帯式クーラーボックス３０が、第１実施形態に係る釣竿立て１００の位置決め立てを兼ねており、蝶番１３を介して、基板１０及び竿立て２０が、携帯式クーラーボックス３０の側面に収容可能となっている。
図７は、第３実施形態に係る釣竿立てを折り畳んだ状態を示す斜視図である。
図７に示すように、釣竿立て３００においては、竿立て２０を基板１０に設けられた２つの収容溝１１にそれぞれ収容し、蝶番１３を中心に折り畳むことで、携帯式クーラーボックス３０の側面に釣竿立て３００を収容することができる。このように、釣竿立て３００は、携帯式クーラーボックス３０と一体となっているので、持ち運びが容易である。
【００４８】
以上、本発明の好適な実施形態について説明したが、本発明は上記実施形態に限定されるものではない。
【００４９】
例えば、第１実施形態に係る釣竿立て１００及び第２実施形態に係る釣竿立て２００においては、いずれも竿立て２０が１つ設けられており、第３実施形態に係る釣竿立て３００においては、竿立て２０が２つ設けられているが、竿立ての個数は特に限定されず、３つ以上であってもよい。
【００５０】
第１実施形態に係る釣竿立て１００においては、位置決め立て１４に携帯式クーラーボックス３０が載置されているが、一定の重量を有し釣竿立て１００を固定できるものであれば、携帯式クーラーボックス以外のものであってもよい。
【産業上の利用可能性】
【００５１】
本発明の釣竿立ては、渓釣り、池釣り、灘釣り、磯釣り、防波堤釣り、セメント護岸釣り等の用途に関わらず用いることができ、取り付け及び持ち運びが容易で、釣竿の安定性にも優れる。
【符号の説明】
【００５２】
１０・・・基板
１１・・・収納溝
１２・・・位置決め溝
１３・・・蝶番
１４・・・位置決め立て
１５・・・引掛け部
１６・・・位置決め板
１７・・・切り欠き
２０・・・竿立て
２１Ａ・・・左側棒立て
２１Ａ１，２１Ａ２，２１Ｂ１，２１Ｂ２・・・棒
２１Ｂ・・・右側棒立て
２２・・・軸受け溝
２３・・・固定マグネット
２４Ａ，２４Ｂ・・・頂点部
２５・・・第１リミット立て
２７Ａ，２７Ｂ・・・中腹部
２８・・・第２リミット立て
２９・・・拘束部材
３０・・・携帯式クーラーボックス
４０・・・釣竿
１００，２００，３００・・・釣竿立て
【図１】
2010200744.tif 000003
【図２】
2010200744.tif 000004
【図３】
2010200744.tif 000005
【図４】
2010200744.tif 000006
【図５】
2010200744.tif 000007
【図６】
2010200744.tif 000008
【図７】
2010200744.tif 000009